【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】
デジタル放送信号を受信する受信装置であって、
信号を受信する受信手段と、
前記受信手段において入力される信号から所望の物理チャンネルの信号を抽出するチューナ手段と、
前記チューナ手段により抽出された信号がデジタル放送信号を含むか否かを判定する第１の判定手段と、
前記第１の判定手段において前記チューナ手段により抽出された信号がデジタル放送信号を含むと判定されたとき、該デジタル放送信号に含まれるプログラム情報が抽出可能か否かを判定する第２の判定手段と、
前記チューナ手段により抽出された信号からデジタル放送信号に含まれるプログラム情報を抽出するプログラム情報取得手段と、
前記第１の判定手段における判定結果と、前記第２の判定手段においてデジタル放送信号に含まれるプログラム情報が抽出可能であると判定した場合に前記プログラム情報取得手段により取得された該デジタル放送信号のプログラム情報と、を記憶する記憶手段と、を備えてなることを特徴とするデジタル放送受信装置。
【請求項２】
前記記憶手段には、受信される物理チャンネルについて、
前記第１の判定手段にてデジタル放送信号を含むと判定され、前記第２の判定手段において該デジタル放送信号に含まれるプログラム情報を抽出可能であると判定された物理チャンネルを含む第１の分類と、
前記第１の判定手段にてデジタル放送信号を含むと判定され、前記第２の判定手段において該デジタル放送信号に含まれるプログラム情報を抽出可能でないと判定された物理チャンネルを含む第２の分類と、
に区別し、チャンネルの上記分類を記憶することを特徴とする請求項１に記載のデジタル放送受信装置。
【請求項３】
前記記憶手段に記憶された、前記第１の分類に属するチャンネルと、前記第２の分類に属するチャンネルは、選局可能なチャンネルとして、それぞれが表示画面上で区別されて表示されるような表示信号を出力する出力手段を備えてなる請求項２に記載のデジタル放送受信装置。
【請求項４】
前記デジタル放送受信装置は、
前記受信手段において受信した信号を復調する復調手段を備え、
前記第１の判定手段は、前記復調手段において、前記チューナ手段が抽出した信号に所定の同期信号が検出されたとき、前記受信手段より入力された信号にデジタル放送信号が含まれると判断することを特徴とする請求項１に記載のデジタル放送受信装置。
【請求項５】
所定の同期信号とは、前記復調手段に含まれるセグメント同期検出手段にて検出されるセグメント同期信号または、前記復調手段に含まれるフィールド同期検出手段にて検出されるフィールド同期信号であることを特徴とする請求項４に記載のデジタル放送受信装置。
【請求項６】
前記デジタル放送受信装置は、入力された信号を増幅する増幅手段を備え、
前記第１の判定手段は、前記増幅手段におけるＡＧＣ電圧により、デジタル放送信号を含むか否かを判定することを特徴とする請求項１に記載のデジタル放送受信装置。
【請求項７】
前記デジタル放送受信装置は、受信手段において受信した信号の誤り訂正を行なう誤り訂正手段を備え、
前記第２の判定手段は、前記誤り訂正手段において検出されるビット誤り率に基づいて判定することを特徴とする請求項１に記載のデジタル放送受信装置。
【請求項８】
前記第２の判定手段は、前記誤り訂正手段においてビット誤り率を複数回検出した結果に基づいて判定することを特徴とする請求項７に記載のデジタル放送受信装置。
【請求項９】
前記デジタル放送受信装置は、受信手段において受信した信号の誤り訂正を行なう誤り訂正手段を備え、
前記第２の判定手段は、前記誤り訂正手段から出力されるデジタルデータの同期確立に基づいて判定することを特徴とする請求項１に記載のデジタル放送受信装置。
【請求項１０】
前記デジタル放送信号に含まれるプログラム情報とは、仮想チャンネル番号、変調方式、チャンネルＴＳ−ＩＤ、および、プログラム番号のいずれかの情報を含むことを特徴とする請求項１に記載のデジタル放送受信装置。
【請求項１１】
前記記憶手段に情報が記憶されている物理チャンネルであって、前記第１の判定手段にてデジタル放送信号を含むと判定され、前記第２の判定手段において該デジタル放送信号に含まれるプログラム情報を抽出可能でないと判定された物理チャンネルが選局されたとき、
前記プログラム情報取得手段は、新たに該デジタル放送信号に含まれるプログラム情報を取得するように動作することを特徴とする請求項１に記載のデジタル放送受信装置。
【請求項１２】
新たにデジタル放送信号に含まれるプログラム情報を取得したときは、取得したプログラム情報を前記記憶手段に記憶することを特徴とする請求項１１に記載のデジタル放送受信装置。
【請求項１３】
前記チューナ手段において抽出された物理チャンネルに含まれる映像情報と、前記第１の判定手段および前記第２の判定手段において判定された結果を表す情報と、を表示する表示装置を備えてなる請求項１ないし１２のいずれかに記載のデジタル放送受信装置。
【請求項１４】
放送信号を受信する受信装置であって、
１つの周波数に複数の番組が含まれる放送信号が入力される入力手段と、
前記入力手段において入力される信号から所望の周波数の信号を抽出するチューナ手段と、
前記チューナ手段において抽出された放送信号に含まれる番組を特定するプログラム情報を取得するプログラム情報取得手段と、
放送として選局可能なチャンネル情報を表す信号を出力する出力手段と、
を備え、
前記チャンネル情報は、
抽出された周波数に含まれる番組を特定しないで該周波数が選局可能であることを表す第１の情報と、
前記プログラム情報取得手段において取得されたプログラム情報に基づき周波数に含まれる番組を特定して該周波数が選局可能であることを表す第２の情報と、
を含み、
前記第１の情報と、前記第２の情報はそれぞれ異なる周波数についての情報であることを特徴とする受信装置。
【請求項１５】
前記チャンネル情報とは、前記チューナ手段においてデジタル放送信号を含む物理チャンネルの抽出が可能であり、前記番組情報取得手段により該物理チャンネルのプログラム情報の取得が不可能である場合に、該物理チャンネルが選局可能であることを表す情報であり、
前記チューナ手段においてデジタル放送信号を含む物理チャンネルの抽出が可能であり、かつ、前記プログラム情報取得手段により該物理チャンネルのプログラム情報の取得が可能である場合に、該物理チャンネルに含まれる１つまたは複数の番組が選局可能であることを表す情報であることを特徴とする請求項１４に記載の受信装置。
【請求項１６】
前記チャンネル情報を記憶する記憶手段を備え、
前記記憶手段に記憶されたチャンネルであって、物理チャンネルに含まれる番組を特定しないで該物理チャンネルが選局可能であることを表す物理チャンネルが選局されたときは、
前記番組情報取得手段は、新たに該物理チャンネルに含まれるプログラム情報を取得し、取得したプログラム情報に基づき前記出力手段が該物理チャンネルに含まれる１つまたは複数の番組の映像を出力することを特徴とする請求項１４に記載の受信装置。
【請求項１７】
デジタル放送のチャンネル情報をチャンネルスキャンによりスキャンし、記憶するデジタル放送受信方法であって、
受信した信号から物理チャンネルを選局するステップと、
選局した物理チャンネルがデジタル放送信号を含むか否かを判定するステップと、
デジタル放送信号が含まれると判定された場合に、該デジタル放送信号に含まれるプログラム情報が取得可能か否かを判定するステップと、
選局した物理チャンネルがデジタル放送信号を含むが、該デジタル放送信号に含まれるプログラム情報が取得可能でないと判定されたとき、該物理チャンネルがデジタル放送信号を含むことを記憶するステップと、
を備えてなることを特徴とするデジタル放送受信方法。
【請求項１８】
請求項１７に記載のデジタル放送受信方法において、
選局した物理チャンネルがデジタル放送信号を含むが、該デジタル放送信号に含まれるプログラム情報が取得可能でないと判定されたとき、該物理チャンネルがデジタル放送信号を含むことを表示するステップと、
選局した物理チャンネルがデジタル放送信号を含むみ、該デジタル放送信号に含まれるプログラム情報が取得可能であると判定されたとき、該物理チャンネルのチャンネル情報を表示するステップと、
を備えてなることを特徴とするデジタル放送受信方法。
【請求項１９】
請求項１７に記載のデジタル放送受信方法において、
選局した物理チャンネルがデジタル放送信号を含むが、該デジタル放送信号に含まれるプログラム情報が取得可能でないと判定された物理チャンネルを選局したとき、
該物理チャンネルのプログラム情報を新たに取得するステップと、
新たに取得されたチャンネルのプログラム情報を記憶するステップと、
該物理チャンネルのプログラム情報に基づいて、該物理チャンネルに含まれる番組を出力するステップと、
を備えてなることを特徴とするデジタル放送受信方法。
【請求項２０】
デジタル放送信号を受信する受信回路であって、
選択された物理チャンネルの信号が入力される入力手段と、
前記入力手段により入力された信号がデジタル放送信号を含むか否かを判定する第１の判定手段と、
前記第１の判定手段において、入力された信号がデジタル放送信号を含むと判定されたとき、該デジタル放送信号に含まれるプログラム情報が抽出可能か否かを判定する第２の判定手段と、
入力されたデジタル放送信号に含まれるプログラム情報を抽出するプログラム情報取得手段と、
前記第１の判定手段における判定結果と、前記第２の判定手段においてデジタル放送信号に含まれるプログラム情報が抽出可能であると判定した場合に前記プログラム情報取得手段により取得された該デジタル放送信号のプログラム情報と、を記憶する記憶手段と、
を備えてなることを特徴とする受信回路。
【請求項２１】
デジタル放送を受信する受信装置であって、
信号を受信する受信手段と、
前記受信手段において入力される信号から所望の物理チャンネルの信号を抽出するチューナ手段と、
前記チューナ手段により抽出された信号がデジタル放送信号を含むか否かを検出する検出手段と、
前記チューナー手段により抽出された信号に含まれるプログラムに関する情報を取得するプログラム情報取得手段と、
前記検出手段によりデジタル放送信号が検出され、前記番組情報取得手段により前記プログラムに関する情報を取得したチャンネルを登録する第１の登録手段とを備え、
前記検出手段によりデジタル放送信号が検出されたが、前記第1の登録手段により登録されないチャンネルを再度選局し、前記プログラム情報取得手段により該チャンネルにおけるプログラムに関する情報が取得された場合に、該チャンネルを登録する第２の登録手段とを備えてなることを特徴とする受信装置。
【請求項２２】
前記再度選局されるチャンネルとは、前記検出手段によりデジタル放送信号が検出され、前記プログラム情報取得手段により前記チャンネルの信号に含まれるプログラムに関する情報が取得されないチャンネルであることを特徴とする請求項２１に記載の受信装置。